(57)【要約】【課題】水溶性有機フッ素化合物に有効な凝集法による排水処理方法を提供する。【解決手段】この排水処理方法は、ペルフルオロオクタンスルホン酸（ＰＦＯＳ）やペルフルオロオクタン酸（ＰＦＯＡ）に代表される水溶性有機フッ素化合物を含有する排水を処理する排水処理方法であって、アルミニウム系凝集剤又は鉄系凝集剤などの無機系凝集剤、及び臭化ヘキサデシルトリメチルアンモニウムなどの陽イオン界面活性剤によって前記水溶性有機フッ素化合物を凝集分離する【選択図】図１
2016153113.tif 000002
【特許請求の範囲】
【請求項１】
水溶性有機フッ素化合物を含有する排水を処理する排水処理方法であって、
排水処理槽に水溶性有機フッ素化合物を含有する排水を注入するとともに無機系凝集剤及び陽イオン界面活性剤を添加して、前記排水処理槽内を攪拌することにより、前記水溶性有機フッ素化合物を凝集分離することを特徴とする排水処理方法。
【請求項２】
請求項１に記載の排水処理方法において、
前記無機系凝集剤として、アルミニウム系凝集剤又は鉄系凝集剤を用いることを特徴とする排水処理方法。
【請求項３】
請求項１又は２に記載の排水処理方法において、
前記陽イオン界面活性剤として、臭化ヘキサデシルトリメチルアンモニウムを用いることを特徴とする排水処理方法。
【請求項４】
請求項１〜３のいずれか1項に記載の排水処理方法において、
前記排水中の前記水溶性有機フッ素化合物に対する前記陽イオン界面活性剤の注入量の物質量比を１以上５．２以下の範囲に設定することを特徴とする排水処理方法。
【発明の詳細な説明】
【技術分野】
【０００１】
本発明は、水溶性有機フッ素化合物を含有する排水を処理する排水処理方法に関する。
【背景技術】
【０００２】
ペルフルオロオクタンスルホン酸（ＰＦＯＳ）やペルフルオロオクタン酸（ＰＦＯＡ）に代表される水溶性有機フッ素化合物は、界面活性剤など様々な用途に用いられてきたが、これを含有する排水を処理する場合、化学的安定性が高いため、分解処理が困難である。特にＰＦＯＳは、ほぼすべての有機化合物を分解し、二酸化炭素まで無機化できると言われているＯＨラジカルを利用する促進酸化処理技術を用いてもほとんど分解されないことが知られている。そのため、吸着法、膜分離法、抽出法など排水から水溶性有機フッ素化合物を分離する方法が用いられている。
【０００３】
例えば、特許文献１には、シクロデキストリンポリマーを吸着剤に用いた吸着法が開示されている。また、特許文献２には、ポリフッ化ビニリデン系樹脂製の多孔質膜による膜分離法が開示されている。また、特許文献３には、超臨界二酸化炭素によって水溶性有機フッ素化合物を抽出する抽出法が開示されている。
【先行技術文献】
【特許文献】
【０００４】
【特許文献１】特開２０１２−１０１１５９号公報
【特許文献２】特開２０１０−１１９９３１号公報
【特許文献３】特開２００４−１７４３８７号公報
【発明の概要】
【発明が解決しようとする課題】
【０００５】
しかしながら、吸着法は、吸着剤のコストが高く、また排水中の共存物質による吸着阻害が起こり得る。膜分離法は、排水中の共存物質による膜閉塞（ファウリング）の問題があり、かつ、膜ろ過及び膜洗浄のための運転管理コストが大きい。抽出法は、付加的な特殊設備又は高圧設備が必要であり、どのような工場でも適用可能というわけにはいかない。
【０００６】
これらの方法に対し、凝集剤によって水溶性有機フッ素化合物を凝集分離する凝集法が考えられるが、水溶性有機フッ素化合物に有効な凝集法は、まだ提案されてはいない。凝集法は、吸着法、膜分離法、抽出法のようには特別な設備を導入する必要はなく、一般的な既存の設備を用いることも可能であり、導入にあたって初期投資が小さい。
【０００７】
本発明は係る事由に鑑みてなされたものであり、その目的は、水溶性有機フッ素化合物に有効な凝集法による排水処理方法を提供することにある。
【課題を解決するための手段】
【０００８】
上記目的を達成するために、請求項１に記載の排水処理方法は、水溶性有機フッ素化合物を含有する排水を処理する排水処理方法であって、排水処理槽に水溶性有機フッ素化合物を含有する排水を注入するとともに無機系凝集剤及び陽イオン界面活性剤を添加して、前記排水処理槽内を攪拌することにより、前記水溶性有機フッ素化合物を凝集分離することを特徴とする。
【０００９】
請求項２に記載の排水処理方法は、請求項１に記載の排水処理方法において、前記無機系凝集剤として、アルミニウム系凝集剤又は鉄系凝集剤を用いることを特徴とする。
【００１０】
請求項３に記載の排水処理方法は、請求項１又は２に記載の排水処理方法において、前記陽イオン界面活性剤として、臭化ヘキサデシルトリメチルアンモニウムを用いることを特徴とする。
【００１１】
請求項４に記載の排水処理方法は、請求項１〜３のいずれか1項に記載の排水処理方法において、前記排水中の前記水溶性有機フッ素化合物に対する前記陽イオン界面活性剤の注入量の物質量比を１以上５．２以下の範囲に設定することを特徴とする。
【発明の効果】
【００１２】
本発明によれば，水溶性有機フッ素化合物に有効な凝集法による排水処理方法を実現することができる。
【図面の簡単な説明】
【００１３】
【図１】本発明の実施形態に係る排水処理方法を実現する排水処理装置の模式図である。
【図２】同上の排水処理方法の実験で使用した実験装置の模式図である。
【図３】同上の排水処理方法の実験結果を示す特性グラフである。
【図４】同上の排水処理方法の比較例の実験結果を示す特性グラフである。
【発明を実施するための形態】
【００１４】
以下、本発明を実施するための形態を説明する。本発明の実施形態に係る排水処理方法は、水溶性有機フッ素化合物を含有する排水を処理する排水処理方法であって、排水処理槽に水溶性有機フッ素化合物を含有する排水を注入するとともに無機系凝集剤及び陽イオン界面活性剤を添加して、排水処理槽内を攪拌することにより、水溶性有機フッ素化合物を凝集分離するものである。水溶性有機フッ素化合物は、ペルフルオロオクタンスルホン酸（ＰＦＯＳ）やペルフルオロオクタン酸（ＰＦＯＡ）に代表されるものである。無機系凝集剤としては、アルミニウム系凝集剤（例えば、硫酸ばん土）又は鉄系凝集剤（例えば、塩化第二鉄）を用いることができる。陽イオン界面活性剤としては、臭化ヘキサデシルトリメチルアンモニウム（ＣＴＡＢ）を用いることができる。
【００１５】
この排水処理方法は、図１に例示するような排水処理装置１を用いて実現できる。この排水処理装置１では、排水処理槽２に水溶性有機フッ素化合物を含有する排水Ｓを注入し、無機系凝集剤及び陽イオン界面活性剤を添加して、排水処理槽２内の排水Ｓを攪拌機３で攪拌する。そうすると、水溶性有機フッ素化合物は、徐々に凝集して行き沈殿する。その沈殿により水溶性有機フッ素化合物が分離し除去された排水Ｓ（上澄み）は、次の工程の排水処理装置に移される。
【００１６】
この排水処理方法は、後述する実験で示すように、無機凝集剤に加えて少量の陽イオン界面活性剤を添加することで、有効に排水から水溶性有機フッ素化合物を凝集分離することができる。排水処理装置１は、一般的な既存の設備を活用することも可能である。
【００１７】
次に、本願発明者が行った排水処理方法の実験について以下説明する。実験装置としては、図２に示すような、多数の実験用の排水処理槽２及び攪拌機３を有するジャーテスター１’を用いた。水溶性有機フッ素化合物は、ＰＦＯＳとした。無機系凝集剤は、アルミニウム系凝集剤である硫酸ばん土、又は鉄系凝集剤である塩化第二鉄を用いた。陽イオン界面活性剤は、ＣＴＡＢを用いた。排水Ｓ中の水溶性有機フッ素化合物の初期濃度は２μＭ、無機系凝集剤の濃度は２．０ｍＭとした。陽イオン界面活性剤の濃度は０〜１０．４μＭの範囲、つまり、水溶性有機フッ素化合物に対する陽イオン界面活性剤の注入量の物質量比を０〜５．２の範囲で設定した。それぞれの排水処理槽２に排水Ｓを注入し、無機系凝集剤及び設定量の陽イオン界面活性剤を添加し、炭酸ナトリウムを用いてＰＨを７に調整した。ｐＨ調整後、急速撹拌をＧ値２００ｓ−１で３分間行った後、緩速撹拌をＧ値４６ｓ−１で３０分間実施した。そして、５分間静置沈降させた後、上澄みを採取し、孔径０．２μｍのシリンジフィルターでろ過したろ液を液体クロマトグラフ質量分析計（ＬＣ／ＭＳ）で分析し、水溶性有機フッ素化合物の濃度を定量した。
【００１８】
図３に、実験結果を示す。横軸は排水Ｓに添加した陽イオン界面活性剤の濃度、縦軸は排水Ｓ中の水溶性有機フッ素化合物の濃度である。図３より、陽イオン界面活性剤の添加量を増やして濃度を増加させるにつれ、上澄み中の水溶性有機フッ素化合物の濃度が減少しており、陽イオン界面活性剤の添加効果が認められる。添加効果は、アルミニウム系凝集剤を用いた場合の方が大きい。９０％以上の水溶性有機フッ素化合物の除去に必要な陽イオン界面活性剤の濃度は、アルミニウム系凝集剤を用いた場合では１．２μＭ以上、鉄系凝集剤を用いた場合では２μＭ以上である。よって、９０％以上の水溶性有機フッ素化合物の除去には、物質量比で、アルミニウム系凝集剤を用いた場合では０．６倍、鉄系凝集剤を用いた場合では１倍の陽イオン界面活性剤の添加が必要となることになる。重量換算すると、ＰＦＯＳの分子量は５００．１３、ＣＴＡＢの分子量は３６４なので、９０％以上の水溶性有機フッ素化合物の除去には、重量比で、アルミニウム系凝集剤を用いた場合では０．４４倍、鉄系凝集剤を用いた場合では０．７３倍の陽イオン界面活性剤の添加が必要となることになる。このように、陽イオン界面活性剤の添加は少量でよい。また、水溶性有機フッ素化合物に対する陽イオン界面活性剤の注入量の物質量比を１〜５．２の範囲に設定すれば、９０％以上の水溶性有機フッ素化合物の除去が可能である。
【００１９】
次に、比較のために本願発明者が行った実験について説明する。実験装置としては、上記のジャーテスター１’を用いた。水溶性有機フッ素化合物と無機系凝集剤は、上記実験と同様である。陽イオン界面活性剤の代わりに、活性炭（より詳細には、クラレケミカル製クラレコール（登録商標）ＧＷ−ＨＳ２（粒径１４９〜３２５μｍ））を乳鉢ですり潰したものを用いた。排水Ｓ中の水溶性有機フッ素化合物の初期濃度と無機系凝集剤の濃度は、上記実験と同様である。活性炭の添加量は、０〜５５ｍｇ／Ｌの範囲で設定した。それぞれの排水処理槽２に排水Ｓを注入し、無機系凝集剤及び設定量の活性炭を添加した。それ以降のｐＨの調整、攪拌、分析は、上記実験と同様である。
【００２０】
図４に、比較のための実験の結果を示す。横軸は排水Ｓに添加した活性炭の添加量、縦軸は排水Ｓ中の水溶性有機フッ素化合物の濃度である。図４より，活性炭の添加量を増やすにつれ、上澄み中の水溶性有機フッ素化合物の濃度が減少しており、活性炭の添加効果が認められる。添加効果は、無機系凝集剤の種類に依存していない。９０％以上の水溶性有機フッ素化合物の除去に必要な活性炭の添加量は、３８ｍｇ／Ｌ以上と評価できる。２μＭのＰＦＯＳの重量濃度は１．０ｍｇ／Ｌであるので、９０％以上の水溶性有機フッ素化合物の除去には、重量比で、水溶性有機フッ素化合物の３８倍以上（上記の陽イオン界面活性剤と比較すると５２倍以上）もの大量の活性炭の添加が必要となることになる。
【００２１】
以上の実験より、陽イオン界面活性剤は、水溶性有機フッ素化合物の除去に極めて有効であることが分かる。
【００２２】
一般に水溶性有機フッ素化合物は炭素−フッ素結合部が疎水性の性質を有し、一部にカルボン酸やスルホン酸等の陰イオン性の構造を有することで水溶性を発現する。よって、陽イオン界面活性剤を添加することにより有機フッ素化合物の炭素−フッ素結合部と陽イオン界面活性剤の疎水基が会合し、低濃度条件下では、微小な会合体として水中に分散するものと考えられる。この際、有機フッ素化合物の陰イオン性部分が有する負電荷は陽イオン界面活性剤が有する正電荷により、会合体全体として電荷中和が起こる。その結果、凝集フロックへの吸着性が向上し、水溶性有機フッ素化合物の除去が促進されるものと推測される。
【００２３】
以上、本発明の実施形態に係る排水処理方法について説明したが、本発明は、上述の実施形態に記載したものに限られることなく、特許請求の範囲に記載した事項の範囲内でのさまざまな設計変更が可能である。例えば、無機系凝集剤及び陽イオン界面活性剤に加えてそれ以外のものを、必要に応じて添加することも可能である。
【符号の説明】
【００２４】
１    排水処理装置
１’  ジャーテスター
２  排水処理槽
３  攪拌機
【図１】
2016153113.tif 000003
【図３】
2016153113.tif 000004
【図４】
2016153113.tif 000005
【図２】
2016153113.tif 000006